(57)【特許請求の範囲】
【請求項１】
円すい状の内輪軌道とその大径側端部に大鍔部とを有する内輪と、
上記内輪と同心に配置され、上記内輪軌道に対向する円すい状の外輪軌道を有する外輪と、
上記内輪軌道と上記外輪軌道との間にそれぞれ介在する複数個の円すいころと、により形成される領域に、ポリマー潤滑剤を封入したポリマー潤滑剤封入円すいころ軸受において、
上記ポリマー潤滑剤を封入した領域のうち上記大鍔部の外周面を覆う上記円すいころの大径側端面より外側の領域に、上記ポリマー潤滑剤が固形化する際の収縮力を緩和するための空間部を設け、
上記空間部を断面略コの字型の環状の凹部として形成された
ことを特徴とするポリマー潤滑剤封入円すいころ軸受。
【請求項２】
上記領域に封入されたポリマー潤滑剤は、上記内輪、上記外輪、および上記円すいころそれぞれの接触面以外の、上記内輪の外周面、上記外輪の内周面、および上記円すいころの表面を被っている請求項１に記載のポリマー潤滑剤封入円すいころ軸受。
【請求項３】
上記円すいころを保持する保持器を備え、
上記円すいころの大径側端面より外側の領域が上記保持器の内周面側を被う領域を含む請求項１に記載のポリマー潤滑剤封入円すいころ軸受。
【請求項４】
上記内輪と、外輪と、円すいころと、により形成される領域に封入されたポリマー潤滑剤が、上記内輪、上記外輪、上記円すいころおよび上記保持器それぞれの接触面以外の、上記内輪の外周面、上記外輪の内周面、上記円すいころの表面および上記保持器の表面を被っている請求項３に記載のポリマー潤滑剤封入円すいころ軸受。
【発明の詳細な説明】
【０００１】
【発明の属する技術分野】
本発明は、ポリマー潤滑剤が封入されたポリマー潤滑剤封入円すいころ軸受に関するものである。
【０００２】
【従来の技術】
一般に、軸受の内輪および外輪と、転動体との間の領域には、潤滑性を付与するためにオイルやグリースが充填されているが、近年、この領域にポリマー潤滑剤を封入したポリマー潤滑剤封入軸受が用いられるようになっている。図２は、円すいころ軸受にポリマー潤滑剤を封入した従来のポリマー潤滑剤封入軸受を示す断面図である。
【０００３】
このポリマー潤滑剤封入軸受は、図２に示すように外周面に円すい状の内輪軌道９１ａを有する内輪９１と、内周面に内輪軌道９１ａに対向する円すい状の外輪軌道９２ａを有する外輪９２との間に、転動体としての円すいころ９３を介在している。内輪９１には、その小径側端部に小鍔部９１ｂが、大径側端部に大鍔部９１ｃがそれぞれ突設されている。円すいころ９３は、その小径側端面９３ａに内輪９１の小鍔部９１ｂが、大径側端面９３ｂに内輪９１の大鍔部９１ｃがそれぞれ接した状態で、保持器９４により転動自在に保持されている。また、内輪９１、外輪９２、円すいころ９３、および保持器９４により形成される領域には、ポリマー潤滑剤９５が封入されている。このポリマー潤滑剤９５は、加熱して可塑化した状態で上記領域に封入した後、冷却させて固形状にしたものであり、これにより潤滑性を確保するとともに、軸受内部へ水や異物が侵入するのを防止している。
【０００４】
【発明が解決しようとする課題】
しかしながら、上記のようなポリマー潤滑剤封入軸受では、可塑化して封入したポリマー潤滑剤９５が冷却する時に、ポリマー潤滑剤９５が軸受の径方向内方に収縮する。このときポリマー潤滑剤９５は円すいころ９３に抱き着くように収縮するため、円すいころ９３の大径側端面９３ｂには軸受の径方向内方への力が作用し、この力の分力が円すいころ９３の軸方向に作用することになる。このようにその軸方向に力を受けた円すいころ９３は、その小径側端面９３ａが内輪９１の小鍔部９１ｂに沿って摺動して、全体がせり上がる。この結果、外輪９２は外輪軌道９２ａに沿って円すいころ９３の小径側方向へと押し出されることになる。このように外輪９２が押し出されると、軸受の組幅が所定の規格よりはずれてしまうことになり、問題となっていた。
本発明は上記の事情に鑑みて提案されたものであって、可塑化して封入したポリマー潤滑剤の冷却時にポリマー潤滑剤が軸受の径方向内方へ収縮するのを緩和し、軸受の寸法を安定させることができるポリマー潤滑剤封入円すいころ軸受を提供することを目的とする。
【０００５】
【課題を解決するための手段】
本発明は上記目的を達成するために以下の手段を採用している。すなわち、内輪と、上記内輪と同心に配置される外輪と、上記内輪と上記外輪との間にそれぞれ介在する複数個の円すいころとにより形成される領域に、ポリマー潤滑剤を封入したポリマー潤滑剤封入円すいころ軸受において、上記領域に封入したポリマー潤滑剤の所定部に、上記ポリマー潤滑剤が固形化する際の収縮力を緩和するための空間部を設けるという手段を採用している。
このように構成されたポリマー潤滑剤封入円すいころ軸受では、封入したポリマー潤滑剤が固形化する時に軸受の径方向内方に収縮しようとする収縮力を、上記空間部により緩和することができる。このようにポリマー潤滑剤の収縮力を緩和することよって、ポリマー潤滑剤の収縮に起因して、内輪、外輪、および円すいころ等の部材が移動するのを防止することができる。
【０００６】
また、上記領域に封入されたポリマー潤滑剤は、上記内輪、上記外輪、および上記円すいころそれぞれの接触面以外の、上記内輪の外周面、上記外輪の内周面、および上記円すいころの表面を被っていることが好ましい。この場合、封入されたポリマー潤滑剤によって、軸受内部へ水や異物等が侵入するのを防止することができる。
【０００７】
また、上記円すいころを保持する保持器を備える場合、上記領域に封入されたポリマー潤滑剤は、上記内輪、上記外輪、上記円すいころ、および上記保持器それぞれの接触面以外の、上記内輪の外周面、上記外輪の内周面、上記円すいころの表面、および上記保持器の表面を被っていることが好ましい。この場合も、上記同様に封入されたポリマー潤滑剤によって、軸受内部へ水や異物等が侵入するのを防止することができる。
【０００８】
また、上記内輪は、円すい状の内輪軌道を有し、上記外輪は、上記内輪軌道に対向する円すい状の外輪軌道を有し、上記円すいころは、上記内輪軌道と上記外輪軌道との間に介在する円すいころであり、上記空間部は、少なくとも上記円すいころの大径側端面より外側の上記領域に設けられている。この場合、少なくとも円すいころの大径側におけるポリマー潤滑剤の収縮力を空間部により緩和することができるので、円すいころの大径側端面をその小径側方向へ押し出すように作用する力を生じさせるのを抑えることができる。これによって、外輪が円すいころの小径側方向へ押し出されるのを防止することができる。
【０００９】
上記空間部は、上記領域に封入されたポリマー潤滑剤の表面に断面略コの字型の凹部として設けられている。この場合、封入されたポリマー潤滑剤の内部に空間部を形成する場合に比べて容易に形成することができる。
また、上記空間部は、環状である。この場合、空間形状が環状であるので空間部を容易に形成することができる。
【００１０】
【発明の実施の形態】
図１は本発明に係るポリマー潤滑剤封入円すいころ軸受を円すいころ軸受に適用した一実施の形態を示す断面図である。以下、図に基づいてこのポリマー潤滑剤封入円すいころ軸受について説明する。
図１に示すようにポリマー潤滑剤封入円すいころ軸受１は、主に、外周面に円すい状の内輪軌道２ａを有する内輪２と、この内輪２と同心に配置され、内周面に内輪軌道２ａに対向する円すい状の外輪軌道３ａを有する外輪３と、内輪軌道２ａと外輪軌道３ａとの間に介在する複数個の円すいころ４と、この円すいころ４を保持する保持器５とを備えており、上記内輪２、外輪３、円すいころ４および保持器５で形成される領域には、ポリマー潤滑剤６が封入されている。
【００１１】
内輪２の外周には、その小径側端部に小鍔部２ｂが、大径側端部に大鍔部２ｃがそれぞれ突設されている。保持器５は、鋼板等をプレス加工した環状のプレス保持器であり、円すいころ４を転動自在に保持するための矩形のポケットが、周方向に複数個設けられている。また、円すいころ４の小径側となる保持器５の小径側端部５ａは、内周側に屈曲して形成されている。円すいころ４は、その小径側端面４ａに内輪２の小鍔部２ｂが、大径側端面４ｂに内輪２の大鍔部２ｃがそれぞれ接した状態で、保持器５により転動自在に保持されている。
【００１２】
上記ポリマー潤滑剤６は、保持器５の小径側端部５ａを被う領域６ａ、保持器５の大径側端部５ｂを被う領域６ｂ、内輪２の小鍔部２ｂおよび大鍔部２ｃの外周面を被う領域６ｃ，６ｄ、および円すいころ４の小径側端面４ａおよび大径側端面４ｂを被う領域６ｅ，６ｆ、および内輪軌道２ａおよび外輪軌道３ａと複数個の円すいころ４とで形成される領域（図示しない）に封入されている。このポリマー潤滑剤６は、加熱して可塑化した状態で上記領域に封入した後、冷却させて固形状にしており、これにより潤滑性を確保している。上記ポリマー潤滑剤６のうちの円すいころ４の小径側端面４ａおよび大径側端面４ｂの外側であって保持器５より内周側には、空間部７ａ，７ｂが断面略コの字型で一体の環状にそれぞれ設けられている。このように空間部７ａ，７ｂを一体の環状空間とすることは、形成が容易で好ましい。
【００１３】
このように、ポリマー潤滑剤６に空間部７ａ，７ｂを設けることによって、封入したポリマー潤滑剤６が冷却する時に、軸受の径方向内方に収縮するのを吸収してその収縮力を緩和することができる。このため、ポリマー潤滑剤６の収縮に起因した、円すいころ４の大径側端面４ｂに作用する軸受の径方向内方への力が減少し、この力の分力である円すいころ４の軸方向への力も減少することになる。したがって、この軸方向の力により円すいころ４が、その小径側端面４ａが内輪２の小鍔部２ｂに沿って摺動してせり上がるのを抑えることができ、この結果外輪３を外輪軌道３ａに沿って円すいころ４の小径側方向へ押し出すのを防止することができる。よって、外輪３が押し出され、軸受の組幅が所定の規格よりはずれてしまうことを防止することができる。各構成部品形状が軸方向に一定でない円すいころ軸受では、ポリマー潤滑剤の収縮力が軸方向に非対称に作用するため、各構成部品は軸方向に移動し易いから、上記空間部を設ける効果は大きい。
また、円すいころ４の大径側端面４ｂおよび小径側端面４ａと、内輪２の小鍔部２ｂおよび大鍔部２ｃの外周面は、ポリマー潤滑剤６により被われているので、軸受内部へ水や異物等が侵入するのを防止することができる。
【００１４】
なお、本実施の形態では、ポリマー潤滑剤６のうちの円すいころ４の大径側端面４ｂおよび小径側端面４ａの外側に空間部７ａ，７ｂを設けているが、これに限られるものではなく、少なくとも円すいころ４の大径側端面４ｂの外側に空間部７ｂを設けていればよい。
【００１５】
【発明の効果】
以上のように、本発明に係るポリマー潤滑剤封入円すいころ軸受では、ポリマー潤滑剤の所定部に空間部を設けているので、封入したポリマー潤滑剤が固形化する時に軸受の径方向内方に収縮しようとする収縮力を緩和することができる。これによって、ポリマー潤滑剤の収縮に起因して、内輪、外輪、および円すいころ等の部材が移動するのを防止することができる。したがって、軸受の寸法を安定させ、製作効率を向上させることが可能である。
【００１６】
また、上記領域に封入されたポリマー潤滑剤が、上記内輪の外周面、上記外輪の内周面、および上記円すいころの表面を被っている場合、封入されたポリマー潤滑剤によって、軸受内部へ水や異物等が侵入するのを防止することができる。
また、上記保持器を備え、上記領域に封入されたポリマー潤滑剤が、上記内輪の外周面、上記外輪の内周面、上記円すいころの表面、および上記保持器の表面を被っている場合も、上記同様に封入されたポリマー潤滑剤によって、軸受内部へ水や異物等が侵入するのを防止することができる。
【００１７】
また、本発明のポリマー潤滑剤封入円すいころ軸受では、上記空間部が、少なくとも上記円すいころの大径側端面よりも外側の上記領域に設けられているので、少なくとも円すいころの大径側におけるポリマー潤滑剤の収縮を緩和することができる。これによって、ポリマー潤滑剤の収縮に起因して外輪が円すいころの小径側方向へ押し出されるのを防止することができる。したがって、円すいころ軸受の組幅を安定させることができ、製作効率を向上させることが可能である。
【００１８】
また、上記空間部を、上記領域に封入されたポリマー潤滑剤の表面に略コの字型の凹部として設けているので、封入されたポリマー潤滑剤の内部に空間部を形成する場合に比べて容易に形成することができる。
また、上記空間形状が環状であるので、空間部を容易に形成することができる。
【図面の簡単な説明】
【図１】  本発明に係るポリマー潤滑剤封入円すいころ軸受装置の一実施の形態を示す断面図である。
【図２】  従来のポリマー潤滑剤封入軸受を示す断面図である。
【符号の説明】
１    ポリマー潤滑剤封入円すいころ軸受
２    内輪
２ａ  内輪軌道
３    外輪
３ａ  外輪軌道
４    円すいころ
５    保持器
６    ポリマー潤滑剤
７ａ、７ｂ  空間部
【図１】
0004524961.tif 000002
【図２】
0004524961.tif 000003